(57)【要約】【課題】  放送中の異常な音声の送出や無音状態の継続等をいち早く検知し、異常時のオペレータの負担を軽減し速やかなシステムの復旧を可能とする異常監視装置を得る。【解決手段】  音量調整装置１０を構成するパネルフェーダ制御部１１と音声制御部１２との通信接続部１３と、音量調整装置とホストコンピュータ２０との間の通信ケーブル２１での通信制御データ等をモニタする異常監視装置３０を設ける。この異常監視装置により、それぞれの通信接続部１３や通信ケーブル２１での送受信データ等を監視し、異常の検出を行い、アラームなどを行う。【選択図】        図１
2007295337.tif 000002
【特許請求の範囲】
【請求項１】
フェーダ部、パネル部を制御する制御部、音声処理部を制御する音声制御部とを備え、ホストコンピュータで制御することにより、入力された音声信号の音量レベルを調整して出力する音量調整装置において、
音量調整装置を構成する制御部間での通信手段と、この音量調整装置とホストコンピュータとの間の通信手段での通信データをモニタする異常監視装置を設け、この異常監視装置でそれぞれの通信手段での通信制御データを監視することにより異常の検出を行うように構成したことを特徴とする音量調整装置用異常監視装置。
【請求項２】
請求項１記載の音量調整装置用異常監視装置において、
異常監視装置により異常の検出が行われた際に、アラームを通知する手段を設けたことを特徴とする音量調整装置用異常監視装置。
【請求項３】
請求項１または請求項２記載の音量調整装置用異常監視装置において、
異常の検出を行う異常監視装置は、ホストコンピュータの送信データに対して音量調整装置内のフェーダ部、パネル部の音声制御データが一致しているか否か、または妥当であるか否かをチェックする機能、フェーダ部のフェーダ位置データをモニタし位置データに連続性がない等の異常を監視する機能、あるいはパネル部のエンコーダ、スイッチ制御データをモニタし制御データがありえないデータになっていないか否かを監視する機能を備えていることを特徴とする音量調整装置用異常監視装置。
【請求項４】
請求項１ないし請求項３のいずれか１項に記載の音量調整装置用異常監視装置において、
異常監視装置は、ホストコンピュータとは別に設けられていることを特徴とする音量調整装置用異常監視装置。
【発明の詳細な説明】
【技術分野】
【０００１】
本発明は、たとえば放送等で録音、編集等を行うミキシングコンソール（音声卓）において、入力された複数の音声信号や映像信号などの音量をそれぞれ調整して出力するために用いられる音量調整装置に関し、特に通信異常による異常動作やハード的な要因による誤動作等といった異常状態を監視する音量調整装置用異常監視装置に関する。
【背景技術】
【０００２】
各種放送用、レコーディング用スタジオ等において使用され、複数の音声信号や映像信号の処理、調整等を行い、放送番組等を制作するためのミキシングコンソールが従来から知られている。この種のミキシングコンソールには、たとえばマイクロフォンや音声再生装置（スピーカ）からなどの装置から複数の音声信号や複数の映像設備からの映像信号を入力し、それぞれの音声信号、映像信号等の音量レベルを、それぞれ対応する複数の音量調整手段を用いてそれぞれ調整して出力する音量調整装置が用いられている。
【０００３】
この種の音量調整装置における音量調整手段には、音量の調整レベルを指定するためのレベル調整手段としてフェーダが設けられており、この音量調整装置に取り込むことで、必要とする音声信号や映像信号の音量レベルの調整などを適宜行うように構成されている（例えば、特許文献１、特許文献２参照）。
【０００４】
【特許文献１】特開２００２−２９０３６０号公報
【特許文献２】特開２００４−１４０５３１号公報
【発明の開示】
【発明が解決しようとする課題】
【０００５】
ところで、上述したようなミキシングコンソールにおいて、放送中に音量調整装置に不具合が生じた場合に、異常な音声の送出や無音状態を継続させる等、いわゆる放送事故を招いてしまう虞れがある。
【０００６】
すなわち、この種の音量調整装置では、フェーダ部、パネル部を制御するパネルフェーダ制御部や音声処理部を制御する音声制御部を、シリアル、光ケーブル等といった通信ケーブルを介してホストコンピュータに接続し、これらの制御信号等のやり取りで所要の制御処理を行うように構成されているが、実際に音出しを行ったりオペレータ操作を行った時に異常に気づく場合がある。特に、このような異常が生放送中に起きた場合には大きな問題となる虞れがある。
【０００７】
このような異常の原因としては、たとえば通信異常による異常動作やハード的な要因による誤動作、各制御部のソフトウエアのバグ等、様々な誤動作要因が考えられ、完全になくすことは困難なものであり、実際に異常に気づいた場合にはオペレータが手動でその復旧操作を行うが、熟練を要し誰でもが簡単に操作できるものではなく、またその調整操作も面倒かつ煩雑である等といった不具合もあった。
【０００８】
本発明はこのような事情に鑑みてなされたものであり、放送中における音声調整装置等での障害、異常をいち早く検知し、異常な音声の送出や無音状態の継続といった異常時におけるオペレータの負担を軽減し、速やかなシステムの復旧を可能とするための音量調整装置用異常監視装置を得ることを目的とする。
【課題を解決するための手段】
【０００９】
このような目的に応えるために本発明（請求項１記載の発明）に係る音量調整装置用異常監視装置は、フェーダ部、パネル部を制御する制御部、音声処理部を制御する音声制御部とを備え、ホストコンピュータで制御することにより、入力された音声信号の音量レベルを調整して出力する音量調整装置において、音量調整装置を構成する制御部間での通信手段と、この音量調整装置とホストコンピュータとの間の通信手段での通信データをモニタする異常監視装置を設け、この異常監視装置でそれぞれの通信手段での通信制御データを監視することにより異常の検出を行うように構成したことを特徴とする。
【００１０】
本発明（請求項２記載の発明）に係る音量調整装置用異常監視装置は、請求項１記載の音量調整装置用異常監視装置を技術的に限定したものであり、異常監視装置により異常の検出が行われた際に、アラームを通知する手段を設けたことを特徴とする。
ここで、このようなアラームとしては、異常が生じたことを報知する警告信号や、異常な部分を指摘し、その回避手段などをオペレータに、あるいはホストコンピュータに通知する制御信号等がある。
【００１１】
本発明（請求項３記載の発明）に係る音量調整装置用異常監視装置は、請求項１または請求項２記載の音量調整装置用異常監視装置を技術的に限定したものであり、異常の検出を行う異常監視装置は、ホストコンピュータの送信データに対して音量調整装置内のフェーダ部、パネル部の音声制御データが一致しているか否か、または妥当であるか否かをチェックする機能、フェーダ部のフェーダ位置データをモニタし位置データに連続性がない等の異常を監視する機能、あるいはパネル部のエンコーダ、スイッチ制御データをモニタし制御データがありえないデータになっていないか否かを監視する機能を備えていることを特徴とする。
【００１２】
本発明（請求項４記載の発明）に係る音量調整装置用異常監視装置は、請求項１ないし請求項３のいずれか１項に記載の音量調整装置用異常監視装置を技術的に限定したものであり、異常監視装置は、ホストコンピュータとは別に設けられていることを特徴とする。
【００１３】
本発明によれば、音量調整装置の各制御部での制御データや、この音量調整装置とホストコンピュータとの送受信データを異常監視装置でモニタし、システム構成や通信データの構造等を異常監視装置に予めインプットしておくことで、該異常監視装置によるデータの整合性、妥当性チェックが可能となりエラー等の異常検出を常時行うことができるのである。また、本発明によれば、常にパネル部やフェーダ部の状態と制御部の間の状態に対して妥当性チェックを行うことでフェーダやパネル部の振る舞いに対して異常検出を行うことができるのである。
【発明の効果】
【００１４】
以上説明したように本発明に係る音量調整装置用異常監視装置によれば、放送中における音声調整装置等での障害、異常をいち早く検知し、異常な音声の送出や無音状態の継続といった異常時におけるオペレータの負担を軽減し、速やかなシステムの復旧を行うことが可能となるという優れた効果がある。
【００１５】
すなわち、本発明によれば、音声制御系等に異常があった場合、オペレータの操作などで異常に気が付く場合が多いが、外部に異常監視装置を置くことで制御部のコントロール時点で異常に気づくことが可能となり早期に対応ができる。
【００１６】
また、本発明によれば、ホストコンピュータや各制御部の外に異常監視装置があるので、ホストコンピュータのソフト的なパフォーマンスを落とすことなく異常の監視と検出とが行える。換言すれば、このような異常監視装置は、ホストコンピュータ内に設けてもよいが、該ホストコンピュータとは別に設けることで、アラーム報知がより一層認識しやすくなるばかりでなく、ホストコンピュータに対しての負荷を軽減し、該ホストコンピュータの作動を適切に行える等の利点もある。
【００１７】
さらに、本発明によれば、音量調整装置や制御部のプロトコル(データ構造)を予め監視装置にインプットしてあるのでシステムに応じた対応方法などを導き出すことも可能となりオペレータに信頼と安心感を与えることができるのである。
【発明を実施するための最良の形態】
【００１８】
図１は本発明に係る音量調整装置用異常監視装置の一実施形態を示すものである。
図において、符号１０で示す音量調整装置は、パネル部、フェーダ部等を制御するパネルフェーダ制御部１１や音声処理部を制御する音声制御部１２を備え、またこの音量調整装置１０には、各制御部１１，１２を制御するホストコンピュータ２０がシリアル通信、光ケーブル通信等のプロトコルをもった通信手段である通信ケーブル２１を介して接続されている。
【００１９】
上述した音声処理部には、複数の映像設備、たとえば複数のＶＴＲを始め、ＣＤ、ＭＤ等に予め記録された映像信号、音声信号が入力されるように構成され、この音声信号が、ホストコンピュータ２０からの制御やパネルフェーダ制御部１１からの制御により、適宜制御され、所要の音量レベル調整が行われて出力されるようになっている。
【００２０】
本発明によれば、音量調整装置１０を構成するパネルフェーダ制御部１１と音声制御部１２との通信接続部１３と、この音量調整装置１０とホストコンピュータ２０との間の通信ケーブル２１での通信制御データ等をモニタする異常監視装置３０を設け、この異常監視装置３０により、それぞれの通信接続部１３や通信ケーブル２１での送受信データ等を監視して、異常状態の検出を行うように構成している。
【００２１】
なお、図中３１は音量調整装置１０での制御部１１，１２間での通信制御データをモニタするためのモニタ用通信ケーブル、３２は音量調整装置１０とホストコンピュータ２０との通信ケーブル２１での通信制御データをモニタするモニタ用通信ケーブルであり、さらに３３は異常監視装置３０をホストコンピュータ２０に接続し、異常を検知したときにアラーム信号を伝達するためのＬＡＮ等のアラーム伝達用通信回線である。
【００２２】
すなわち、音量調整装置１０の各制御部１１，１２での通信途中の制御データやこの音量調整装置１０とホストコンピュータ２０との間での通信途中の送受信データを、外部に設けた異常監視装置３０でモニタし、一方システム構成や通信データの構造等を異常監視装置３０に予めインプットしておくことで、異常監視装置３０によるデータの整合性チェック、妥当性チェックが可能となり、エラー検出を常時行うことができるのである。
【００２３】
特に、このような構成では、常にパネル部やフェーダ部の状態と制御部１１，１２の間の状態に対して妥当性チェックを行うことでフェーダ部やパネル部の振る舞いに対して異常検出を行い、必要に応じて異常の状態をアラームとして報知したり、異常の内容をホストコンピュータ２０において表示したりすることができるのである。
【００２４】
ここで、上述した異常監視にあたっては、ホストコンピュータ２０の送信データ（テークなどのコマンド）に対して音量調整装置１０内のフェーダ部、パネル部の音声制御データが一致しているか、または妥当であるかをチェックする機能、例えばホストコンピュータ２０からのリコール先のフェーダ位置や制御内容が、実際のフェーダ制御位置や制御内容と一致するか否か、パネル部ならばエンコーダ、スイッチ制御がホストコンピュータ２０からのリコール指示データと一致するか否かなどをチェックする機能を持たせるとよい。
【００２５】
また、フェーダ部のフェーダ位置（制御）データをモニタし、位置データに連続性がない等の異常を監視する機能を持たせたり、パネル部のエンコーダ、スイッチ制御データをモニターし制御データがありえないデータになっていないかを監視する機能、さらに異常な部分を監視装置３０などで指摘し、その回避手段などをオペレータまたはホストコンピュータへ通知する機能を持たせるとよい。
【００２６】
以上のような構成による音量調整装置１０における異常監視装置３０での異常監視（エラー監視）とアラーム伝達処理を示す処理フローを図２に示す。
これを簡単に説明すると、Ｓ１では、モニタ回線（通信ケーブル３１，３２）により各部での通信データを受信したか否かが判定され、受信すればＳ２に進み、そうでなければＳ１の状態を繰り返す。
【００２７】
Ｓ２では、モニタした通信データから異常を検出したか否かの判断が行われる。すなわち、ホストコンピュータ２０からの制御データとフェーダ部、パネル部からの制御部１１での制御情報を比較して一致しているか否かを監視する。また、フェーダの位置制御情報が同じチャンネルで連続性があるか否かの監視、パネル部ならばスイッチやエンコーダがありえない制御をしているか否かの監視を行う。そして、異常を検出すればＳ３に進み、そうでなければＳ１に戻ってＳ１、Ｓ２の動作を繰り返す。
【００２８】
Ｓ３では、異常となっている通信経路と異常内容などの情報を監視装置の表示機などにアラーム表示し、またこれと同時にホストコンピュータへアラーム情報を送信する。
ここで、ホストコンピュータ２０により音量調整装置１０の各制御部１１，１２等をリコールしたリコール時に、異常が発生した場合は、致命的な異常として最高レベルのアラームとするとよい。また、それ以外は頻度や異常の度合いに応じてアラームレベルを決定すればよい。
【００２９】
Ｓ４では、上述したエラー情報からエラーの内容を解析し、Ｓ５において復旧可能なエラーであるか否かの判断が行われる。そして、復旧不可能であれば、Ｓ１に戻ってＳ１からＳ５の動作を繰り返すとともに、復旧可能であれば、Ｓ６に進む。
【００３０】
そして、Ｓ６では、エラー回避方法を監視装置３０の表示機へ表示し、その内容をオペレータに報知する。これにより、オペレータは、必要な復旧操作を手動により行い、迅速にシステム復旧を行うことができる。
なお、これと同時に、ホストコンピュータ２０へも伝達するようにしてもよい。ここで、このホストコンピュータ２０に自動復旧機能があれば自動でのエラー回避を行うことも可能である。
【００３１】
ここで、上述した異常監視装置３０での異常検出処理は、次のようにして行われる。
すなわち、フェーダやエンコーダデータ操作では、制御量の変化が連続的であることを利用し、次の方法で異常検出を行う。
【００３２】
前提条件としては、下記のａ，ｂを異常監視装置３０に予め入力し、ｃの方法で異常を検出する。
ａ．フェーダ又はエンコーダをオペレータが操作する場合の最速時間を仮定する。
ｂ．フェーダ又はエンコーダの制御処理間隔を決める。
ｃ．制御データの変化量と制御送信時間間隔から制御スピードを計算し、ａで仮定した操作の最速時間と比較して制御の変化が早すぎる場合は異常とする。
【００３３】
例えば８ビットの制御を行うムービングフェーダで、次のような異常があった場合には、異常が検出されたとする。ここで、以下のフェーダ制御データの数字表記はすべて16進数とする。
（１）フェーダ位置のリコールを実行するが、フェーダ駆動部の異常によりフェーダが駆動されないとき
すなわち、リコールを実行する前のフェーダ位置が３Ｆであるときに、リコール実行後のフェーダ位置が００であれば正常であるが、３Ｆ等であれば異常であると判断する。
そして、このような異常の場合、リコール後、短時間でフェーダ位置が００から３Ｆに変化しているオペレータ操作の最速時間から、このような速さでのオペレータ操作は不可能としフェーダ動作の異常を認識する。
【００３４】
（２）オペレータがフェーダを動かし制御データを３Ｆから００に変化させたが、フェーダ位置読み込み部の異常によりビット４がつねに１で読み込まれた制御処理時間の間隔は、１０msecとし、１０msecごとに、次の制御データを出力する場合において、正常時と異常時の制御データは、図３に示すようになる。
【００３５】
すなわち、正常時では、１０msecごとに一定スピードで進むが、異常な場合は図中Ｘで示すように、急激なスピード変化が起きる。このように前後の制御量変化スピードを比較して短時間で制御スピードが変化する場合は異常とする。
また、あるビットが０に固定されている異常などでは、出力されるべき制御データが飛ばされるなどの現象が発生するが、同様の方法で異常検出を行える。
【００３６】
ここで、上記（１），（２）の例のように、制御量の変化スピードをチェックすることにより異常を検出することができるエンコーダについても、同様の方法で異常を検出することができる。
【００３７】
なお、本発明は上述した実施の形態で説明した構造には限定されず、音量調整装置１０や異常監視装置３０を構成する各部の形状、構造等を適宜変形、変更し得ることはいうまでもない。
たとえば上述した実施形態では、異常監視装置３０を、ホストコンピュータ２０とは別に設けた場合を説明したが、本発明はこれに限らず、ホストコンピュータ２０の機能が充分であれば、その内部に設けることも自由である。
【図面の簡単な説明】
【００３８】
【図１】本発明に係る音量調整装置用異常監視装置の一実施形態を示すブロック図である。
【図２】本発明に係る音量調整装置用異常監視装置による監視処理を説明するためのフローチャートである。
【図３】本発明に係る音量調整装置用異常監視装置において、異常検知を説明するための説明図である。
【符号の説明】
【００３９】
１０…音量調整装置、１１…パネルフェーダ制御部、１２…音声制御部、１３…通信接続部（通信手段）、２０…ホストコンピュータ、２１…通信ケーブル（通信手段）、３０…異常監視装置、３１，３２…モニタ用通信ケーブル、３３…アラーム伝達用通信回線。
【図１】
2007295337.tif 000003
【図２】
2007295337.tif 000004
【図３】
2007295337.tif 000005